(57)【要約】【課題】充填圧の異なる複数の仕様の設備がある水素充填設備において、水素タンクに対する水素の誤充填を防止することができる水素充填システムを提供する。【解決手段】燃料電池車両は、水素タンクに水素を充填するための水素充填口を有し、かつ、水素充填口を有する燃料電池車両のうち、充填圧が低い仕様の燃料電池車両は、充填圧が低い仕様である車両情報が登録されたＲＦＩＤタグ４６を備え、水素充填設備は、燃料電池車両の水素充填口に接続可能な水素充填ノズルを有し、かつ、充填圧が低い仕様の水素充填設備は燃料電池車両のＲＦＩＤタグ４６に登録されている車両情報を読み取り可能なＲＦＩＤリーダ２４を備え、ＲＦＩＤリーダ２４がＲＦＩＤタグ４６から車両情報を読み取った場合のみ水素充填口の接続時の水素充填ノズルを用いた水素の充填を許可する。【選択図】図２
2020097991.tif 000002
【特許請求の範囲】
【請求項１】
燃料電池車両に搭載される水素タンクに水素を充填する水素充填設備において、
前記水素充填設備は、充填圧の異なる複数の仕様の設備を有し、
一方の充填圧の仕様の設備は前記燃料電池車両との通信機能を有し、他方の充填圧の仕様の設備は前記燃料電池車両との通信機能を有さない、水素充填システムであって、
前記燃料電池車両は、前記水素タンクに水素を充填するための水素充填口を有し、かつ、前記水素充填口を有する前記燃料電池車両のうち、前記他方の充填圧の仕様の燃料電池車両は、前記他方の充填圧の仕様である車両情報が登録されたＲＦＩＤタグを備え、
前記水素充填設備は、前記燃料電池車両の前記水素充填口に接続可能な水素充填ノズルを有し、かつ、前記他方の充填圧の仕様の水素充填設備は前記燃料電池車両の前記ＲＦＩＤタグに登録されている前記車両情報を読み取り可能なＲＦＩＤリーダを備え、
前記水素充填設備は前記ＲＦＩＤリーダが前記ＲＦＩＤタグから前記車両情報を読み取った場合のみ前記水素充填口の接続時の前記水素充填ノズルを用いた水素の充填を許可することを特徴とする水素充填システム。
【請求項２】
前記他方の充填圧の仕様の燃料電池車両は、開閉可能に設けられた電磁シールド部材を有し、
前記ＲＦＩＤタグは、前記電磁シールド部材を閉じた状態では前記ＲＦＩＤタグと前記ＲＦＩＤリーダとの間で電磁波が遮断される位置に配置される
請求項１に記載の水素充填システム。
【請求項３】
前記電磁シールド部材は、前記水素充填口のためのフューエルリッドである
請求項２に記載の水素充填システム。
【請求項４】
前記水素充填設備は、オペレータによって操作される水素充填開始ボタンを備え、
前記ＲＦＩＤリーダは、前記水素充填開始ボタンが押されたときにＲＦＩＤタグの認識を行う
請求項１〜３のいずれか１項に記載の水素充填システム。
【請求項５】
前記ＲＦＩＤタグは、水素充填回数を含む履歴情報を記憶し、
前記水素充填設備は、前記水素の充填を許可した場合に、前記履歴情報を更新する更新手段を備える
請求項１〜４のいずれか１項に記載の水素充填システム。
【発明の詳細な説明】
【技術分野】
【０００１】
本発明は、水素充填システムに関する。
【背景技術】
【０００２】
近年、車両用の駆動源として、クリーンでエネルギー効率が高い燃料電池が注目されている。燃料電池を駆動源とする燃料電池車両は、燃料電池で発電した電力を利用してモータを駆動することにより走行する。その際、燃料電池は、燃料ガスとなる水素と、酸化剤ガスとなる空気中の酸素との化学反応によって発電するため、発電量に応じて水素を消費する。このため、燃料電池を搭載する燃料電池車両には、所定量の水素を充填可能な水素タンクが設けられている。
【０００３】
燃料電池車両を活用するには、燃料電池車両の水素タンクに水素を充填する水素充填設備が必要になる。一般に水素充填設備は水素ステーションとも呼ばれている。水素充填設備には水素充填ノズルが設けられ、燃料電池車両には水素充填ノズルを接続可能な水素充填口が設けられている。そして、実際に燃料電池車両の水素タンクに水素を充填する場合は、水素充填ノズルを燃料電池車両の水素充填口に差し込んで接続し、該接続部分を通して水素タンクに水素を充填する。
【０００４】
水素充填設備で燃料電池車両の水素タンクに水素を充填する場合、水素充填設備を制御する設備側制御部と燃料電池車両を制御する車両側制御部との間で無線通信により所定の情報をやりとりして水素の充填を制御する、通信充填と呼ばれる充填制御方式が知られている（たとえば、特許文献１を参照）。
【先行技術文献】
【特許文献】
【０００５】
【特許文献１】特開２０１５−１２１２８２号公報
【発明の概要】
【発明が解決しようとする課題】
【０００６】
ところで、燃料電池車両は、燃料となる水素を水素充填装置から充填する必要があるが、水素充填時の充填圧が、充填する車両に応じて少なくとも２種類（複数）存在する。２種類の燃料電池車両は、高圧で水素を水素タンクに充填する燃料電池自動車と、燃料電池自動車よりも低圧で水素を充填する燃料電池産業車両に大別される。燃料電池自動車は、燃料電池を搭載する普通自動車、バス、トラック等などの自動車である。燃料電池産業車両は、燃料電池を搭載するフォークリフト、牽引車などの産業車両である。燃料電池自動車に適用する水素充填圧力は７０ＭＰａであり、燃料電池産業車両に適用する水素充填圧力は３５ＭＰａである。
【０００７】
水素充填圧力の違いは、水素充填中の水素タンクの温度に影響を与える。すなわち、水素充填圧力が高いと水素充填中に水素タンクの温度が上がりやすくなる。このため、水素充填圧力が高い燃料電池自動車向けの水素充填設備では、水素充填中に水素タンクの温度を管理しながら水素の充填を制御している。具体的には、燃料電池自動車側で水素タンクの温度を検出し、この検出結果を通信機能によって燃料電池自動車側から水素充填設備側へと情報を送信することにより、水素の充填速度等を制御している。このように水素充填圧力が高い燃料電池自動車向けの水素充填設備では、燃料電池車両と通信機能を用いて互いに情報を送受信して水素充填を行っている。したがって、水素充填圧力が高い燃料電池自動車向けの水素充填設備では、通信機能を有さない燃料電池車両に水素充填が行われない。
【０００８】
一方で、水素充填圧力が低い燃料電池産業車両向けの水素充填設備では、水素充填中に水素タンクの温度を厳密に管理する必要がないため、燃料電池産業車両の水素タンクに対して予め決められた充填速度で水素を充填している。したがって、燃料電池産業車両向けの水素充填設備には、水素充填中に車両との間で水素充填制御用の情報をやりとりが不要であり、そのような通信機能が設けられていない。
【０００９】
このように、通信機能を有する燃料電池自動車向けのノズルは、通信機能を有しているため、通信機能の有無によって誤充填を防止することができる。しかしながら、通信機能を有さない燃料電池産業車両向けノズルが燃料電池自動車の水素充填口に接続された場合に水素の充填を禁止する必要がある。
【００１０】
本発明は、上記課題を解決するためになされたもので、その目的は、充填圧の異なる複数の仕様の設備がある水素充填設備において、水素タンクに対する水素の誤充填を防止することができる水素充填システムを提供することにある。
【課題を解決するための手段】
【００１１】
本発明は、燃料電池車両に搭載される水素タンクに水素を充填する水素充填設備において、前記水素充填設備は、充填圧の異なる複数の仕様の設備を有し、一方の充填圧の仕様の設備は前記燃料電池車両との通信機能を有し、他方の充填圧の仕様の設備は前記燃料電池車両との通信機能を有さない、水素充填システムであって、前記燃料電池車両は、前記水素タンクに水素を充填するための水素充填口を有し、かつ、前記水素充填口を有する前記燃料電池車両のうち、前記他方の充填圧の仕様の燃料電池車両は、前記他方の充填圧の仕様である車両情報が登録されたＲＦＩＤタグを備え、前記水素充填設備は、前記燃料電池車両の前記水素充填口に接続可能な水素充填ノズルを有し、かつ、前記他方の充填圧の仕様の水素充填設備は前記燃料電池車両の前記ＲＦＩＤタグに登録されている前記車両情報を読み取り可能なＲＦＩＤリーダを備え、前記水素充填設備は前記ＲＦＩＤリーダが前記ＲＦＩＤタグから前記車両情報を読み取った場合のみ前記水素充填口の接続時の前記水素充填ノズルを用いた水素の充填を許可する。
【００１２】
本発明の水素充填システムにおいて、前記他方の充填圧の仕様の燃料電池車両は、開閉可能に設けられた電磁シールド部材を有し、前記ＲＦＩＤタグは、前記電磁シールド部材を閉じた状態では前記ＲＦＩＤタグと前記ＲＦＩＤリーダとの間で電磁波が遮断される位置に配置されてもよい。
【００１３】
本発明の水素充填システムにおいて、前記電磁シールド部材は、前記水素充填口のためのフューエルリッドであってもよい。
【００１４】
本発明の水素充填システムにおいて、前記水素充填設備は、オペレータによって操作される水素充填開始ボタンを備え、前記ＲＦＩＤリーダは、前記水素充填開始ボタンが押されたときにＲＦＩＤタグの認識を行うものであってもよい。
【００１５】
本発明の水素充填システムにおいて、前記ＲＦＩＤタグは、水素充填回数を含む履歴情報を記憶し、前記水素充填設備は、前記水素の充填を許可した場合に、前記履歴情報を更新する更新手段を備えるものであってもよい。
【発明の効果】
【００１６】
本発明によれば、充填圧の異なる複数の仕様の設備がある水素充填設備において、水素タンクに対する水素の誤充填を防止することができる。
【図面の簡単な説明】
【００１７】
【図１】本発明の実施形態に係る水素充填システムの構成を示す概略図である。
【図２】本発明の実施形態に係る水素充填システムの構成を示すブロック図である。
【図３】ＲＦＩＤタグの配置例を示す斜視図である。
【図４】水素充填設備の処理手順を示すフローチャートである。
【発明を実施するための形態】
【００１８】
以下、本発明の実施形態について図面を参照して詳細に説明する。
【００１９】
図１は、本発明の実施形態に係る水素充填システムの構成を示す概略図であり、図２は、本発明の実施形態に係る水素充填システムの構成を示すブロック図である。
本発明の実施形態に係る水素充填システム１０は、燃料電池車両１２に搭載される水素タンク３４に水素を充填する水素充填設備１１を備えている。
【００２０】
燃料電池車両に搭載される水素タンクに水素を充填する水素充填設備には、水素の充填圧が異なる複数の仕様の設備がある。そのうちの１つは、燃料電池自動車に適用する水素充填圧力で水素を充填する仕様の設備であり、他の１つは、燃料電池産業車両に適用する水素充填圧力で水素を充填する仕様の設備である。いずれの仕様の設備も、燃料電池車両の水素充填口に接続可能な水素充填ノズルを有する。また、一方の充填圧の仕様の設備は燃料電池車両との通信機能を有し、他方の充填圧の仕様の設備は燃料電池車両との通信機能を有さない。ここで記述する「通信機能」とは、上記特許文献１に記載された「通信充填」を行うための通信機能であって、燃料電池車両の水素タンクに水素を充填しているときに、水素充填設備と燃料電池車両との間で水素充填制御用の情報をやりとりしながら水素の充填を制御するために行われる通信機能をいう。
図示した水素充填設備１１は、燃料電池産業車両向けの水素充填設備である。このため、水素充填設備１１の水素充填圧力は、燃料電池産業車両に適用する充填圧力である３５ＭＰａに設定されている。
【００２１】
燃料電池車両１２は、燃料電池産業車両に属する車両、すなわち充填圧が３５ＫＰａの仕様の車両である。本実施形態においては、一例として、燃料電池車両１２がフォークリフトである場合を想定している。燃料電池式のフォークリフトは、走行用モータと荷役用モータを備え、燃料電池が発電する電気エネルギーによって各々のモータを駆動する産業車両である。
【００２２】
燃料電池車両１２は、図１および図２に示すように、燃料電池３２と、水素タンク３４と、水素充填口３６と、水素充填口３６から水素タンク３４に至る流路上に設けられた逆止弁３８と、水素タンク３４から燃料電池３２に至る流路上に設けられた流量制御弁４０と、流量制御弁４０の駆動を制御する車両側制御部４２と、開閉可能なフューエルリッド４４と、ＲＦＩＤタグ４６と、を備えている。
【００２３】
燃料電池３２は、燃料ガスとなる水素と酸化剤ガスとなる空気中の酸素との化学反応によって発電するものである。水素タンク３４は、燃料電池３２に供給される水素を貯めておくためのタンクであって、燃料電池３２と共に燃料電池車両１２に搭載される。水素充填口３６は、水素タンク３４に水素を充填するための充填口であって、レセプタクルとも呼ばれる。逆止弁３８は、水素充填口３６から水素タンク３４への水素の流れを許容する一方、水素タンク３４から水素充填口３６への水素の流れ、すなわち水素の逆流を防止するものである。流量制御弁４０は、水素タンク３４から燃料電池３２に供給される水素の量を制御するための弁である。車両側制御部４２は、流量制御弁４０の開度を調整することにより、燃料電池３２に供給される水素の量を制御する。燃料電池３２に供給される水素の量が多くなると、それに応じて燃料電池３２の発電量が多くなる。このため、車両側制御部４２は、流量制御弁４０の開度を調整することにより、燃料電池３２の発電状態を制御することができる。
【００２４】
フューエルリッド４４は、図３に示すように、水素充填のために水素充填口３６を露出させたり、水素非充填時に水素充填口３６を遮蔽したりするための金属製の板状部材である。フューエルリッド４４は、水素充填口３６の下に設けられたＲＦＩＤタグ４６に対してＲＦＩＤリーダ２４からの電磁波を遮断する電磁シールド部材に相当するものである。フューエルリッド４４は、通常は閉じられており、水素充填口３６に水素充填ノズル１６を接続するときに開けられる。フューエルリッド４４は、燃料電池車両１２が有する金属製のパネル４８に開閉可能に設けられている。パネル４８は、燃料電池３２や水素タンク３４などを収容するものである。パネル４８には、水素充填口３６に通じる開口部５０が設けられている。フューエルリッド４４は、この開口部５０にヒンジ機構等によって開閉可能に取り付けられている。水素充填口３６は、パネル４８によって形成される空間５２に配置されている。
【００２５】
ＲＦＩＤタグ４６は、ＲＦＩＤリーダ２４に対応して燃料電池車両１２に搭載されたものである。ＲＦＩＤタグ４６は、フューエルリッド４４を閉じた状態において、ＲＦＩＤリーダ２４とＲＦＩＤタグ４６との間で電磁波が遮断される位置に配置されている。具体的には、ＲＦＩＤタグ４６は、水素充填口３６の下に取り付けられている。このため、フューエルリッド４４を閉じた状態では、フューエルリッド４４と金属パネル４８によってＲＦＩＤタグ４６が遮蔽される。フューエルリッド４４は、水素充填口３６が配置される空間５２を外部から遮蔽する機能の他に、電磁波を遮断する磁気シールド部材として機能する。このため、フューエルリッド４４を閉じた状態ではＲＦＩＤタグ４６とＲＦＩＤリーダ２４との間で電磁波が遮断される。これに対し、フューエルリッド４４を開けた状態ではＲＦＩＤタグ４６が露出されるため、ＲＦＩＤタグ４６とＲＦＩＤリーダ２４との間で電磁波が遮断されない。
【００２６】
ＲＦＩＤタグ４６は、たとえば、電源を持たないパッシブタイプのタグによって構成される。この場合、ＲＦＩＤタグ４６は、ＲＦＩＤリーダ２４から送られる電磁波を動力源として動作する。ＲＦＩＤタグ４６は、図示はしないが、ＲＦＩＤ用のＩＣと、このＩＣに接続されるアンテナとを備える。
【００２７】
ＲＦＩＤタグ４６には、自車両が燃料電池産業車両であることを示す車両情報（以下、「車両情報ｉｖ」ともいう。）が登録されている。ここで記述する自車両とは、車両情報ｉｖが登録されているＲＦＩＤタグ４６を搭載する燃料電池産業車両、すなわち燃料電池車両１２を意味する。ＲＦＩＤタグ４６を搭載する燃料電池車両１２の台数に制限はない。ただし、ＲＦＩＤタグ４６を搭載する燃料電池車両１２は、燃料電池産業車両に限定される。つまり、ＲＦＩＤタグ４６は、燃料電池産業車両に属する車両のみを対象に搭載され、それ以外の車両である燃料電池自動車には搭載されない。
【００２８】
水素充填設備１１は、図１および図２に示すように、水素充填ホース１４と、水素充填ホース１４の一端部に設けられた水素充填ノズル１６と、水素充填ホース１４に水素を供給する水素供給ラインに設けられた開閉弁１８と、開閉弁１８の駆動を制御する設備側制御部２０と、情報表示機能と情報入力機能を有するタッチパネル２２と、ＲＦＩＤリーダ２４と、を備えている。
【００２９】
水素充填ホース１４は、図示しない水素貯蔵タンクから開閉弁１８を介して供給される水素を水素充填ノズル１６へと導くものである。水素貯蔵タンクは、水素充填設備１１に設けられるタンクである。水素充填ホース１４は、可撓性を有するホースによって構成されている。水素充填ノズル１６は、燃料電池車両１２の水素充填口３６に接続可能なノズルである。水素充填ノズル１６は、水素充填ホース１４の一端部に接続されている。開閉弁１８は、上記水素貯蔵タンクから水素充填ホース１４に至る水素供給ライン上で開状態または閉状態となる。開閉弁１８が開状態のときは水素の流れが許容され、開閉弁１８が閉状態のときは水素の流れが停止させられる。開閉弁１８の状態は設備側制御部２０によって制御される。
【００３０】
設備側制御部２０には、開閉弁１８の他に、タッチパネル２２とＲＦＩＤリーダ２４が電気的に接続されている。設備側制御部２０は、タッチパネル２２の駆動を制御するとともに、オペレータによってタッチパネル２２に入力される情報を取り込む。また、設備側制御部２０は、ＲＦＩＤリーダ２４の駆動を制御するとともに、ＲＦＩＤリーダ２４が読み取った情報を取り込む。そして、設備側制御部２０は、ＲＦＩＤリーダ２４がＲＦＩＤタグ４６から車両情報ｉｖを読み取った場合のみ水素充填ノズル１６を用いた水素の充填を許可する。また、設備側制御部２０は、ＲＦＩＤリーダ２４が何も情報を読み取れなかった場合、あるいは、車両情報ｉｖが登録されていないＲＦＩＤタグから何らかの情報を読み取った場合は、水素充填ノズル１６を用いた水素の充填を不許可とする。
【００３１】
タッチパネル２２は、各種の画面を情報として表示するとともに、その画面中に必要に応じて各種のボタンを表示し、そのボタンを通して入力を受け付けるものである。タッチパネル２２に表示される画面には、たとえば、水素充填の作業手順を案内する案内画面や、何らかのエラーを表示するエラー画面などがある。また、タッチパネル２２の画面中に表示されるボタンには、水素充填開始ボタン２６が含まれる。水素充填開始ボタン２６は、オペレータによって操作されるボタンであって、オペレータが水素充填の開始を指示するための操作ボタンとなる。なお、水素充填開始ボタン２６は、タッチパネル２２とは別に設けられる機械式のボタンであってもよい。
【００３２】
ＲＦＩＤリーダ２４は、所定のタイミングで情報の読み取りを行うべく電磁波を発生する。ＲＦＩＤリーダ２４が電磁波を発生すると、電磁波の届く範囲に存在するＲＦＩＤタグ４６が動作する。これにより、ＲＦＩＤタグ４６に登録されている車両情報ｉｖが、ＲＦＩＤタグ４６からＲＦＩＤリーダ２４へと送られる。このため、ＲＦＩＤリーダ２４は、ＲＦＩＤタグ４６に登録されている車両情報ｉｖを読み取ることができる。
【００３３】
続いて、本発明の実施形態に係る水素充填システム１０で行われる処理および動作について説明する。
図４は、水素充填設備の処理手順を示すフローチャートである。
まず、水素充填設備１１近傍の所定場所に車両が停止すると、この車両を図示しないセンサ等が検知することにより、水素充填設備１１が起動する（ステップＳ１）。このとき、水素充填設備１１では、設備側制御部２０からタッチパネル２２に与えられる画面表示指示に従って、水素充填の作業手順を案内する案内画面がタッチパネル２２に表示される。タッチパネル２２に表示される案内画面には水素充填開始ボタン２６が含まれる。
【００３４】
次に、燃料電池車両１２のオペレータは、燃料電池車両１２をキーオフした状態で燃料電池車両１２から降り、タッチパネル２２に表示されている案内画面を確認する。次に、オペレータは、案内画面に従ってフューエルリッド４４を開けた後、水素充填設備１１の水素充填ノズル１６を燃料電池車両１２の水素充填口３６に差し込んで接続する。次に、オペレータは、タッチパネル２２の案内画面に表示されている水素充填開始ボタン２６を押す。
【００３５】
一方、設備側制御部２０は、上述のようにタッチパネル２２に案内画面を表示したまま、水素充填開始ボタン２６が押されたか否かを繰り返し判定する（ステップＳ２）。そして、水素充填開始ボタン２６が押されたことを知らせる通知信号が、タッチパネル２２から設備側制御部２０に送られると、この通知信号を受けて設備側制御部２０はＲＦＩＤリーダ２４を動作させる。これにより、ＲＦＩＤリーダ２４は、ＲＦＩＤタグ４６の認識を行うべく電磁波を発生して情報の読み取り動作を行う（ステップＳ３）。この読み取り動作において、ＲＦＩＤリーダ２４が発生した電磁波の届く範囲にＲＦＩＤタグ４６が存在すると、その電磁波を駆動源としてＲＦＩＤタグ４６が動作する。これにより、ＲＦＩＤリーダ２４とＲＦＩＤタグ４６との間で無線通信が行われ、この無線通信によってＲＦＩＤリーダ２４がＲＦＩＤタグ４６から車両情報ｉｖを読み取る。これに対し、ＲＦＩＤリーダ２４が発生した電磁波の届く範囲にＲＦＩＤタグ４６が存在しない場合は、ＲＦＩＤリーダ２４が何も情報を読み取らない。また、ＲＦＩＤリーダ２４が発生した電磁波の届く範囲にＲＦＩＤタグ４６とは異なる別のＲＦＩＤタグが存在する場合は、上述した別のＲＦＩＤタグからＲＦＩＤリーダ２４が何らかの情報を読み取る可能性もある。ただし、ＲＦＩＤリーダ２４が別のＲＦＩＤタグから読み取る情報は、車両情報ｉｖに該当しない情報となる。
【００３６】
次に、設備側制御部２０は、ＲＦＩＤリーダ２４が車両情報ｉｖの読み取りに成功したか否かを判定する（ステップＳ４）。ＲＦＩＤリーダ２４が車両情報ｉｖの読み取りに成功する場合とは、ステップＳ３においてＲＦＩＤリーダ２４が電磁波を発生した際に、この電磁波を受けて動作するＲＦＩＤタグ４６からＲＦＩＤリーダ２４が車両情報ｉｖを読み取った場合をいう。これに対し、ＲＦＩＤリーダ２４が車両情報ｉｖの読み取りに失敗する場合とは、ステップＳ３においてＲＦＩＤリーダ２４が電磁波を発生した際に、ＲＦＩＤリーダ２４が何も情報を読み取らなかった場合、あるいは、ＲＦＩＤリーダ２４が読み取った情報が車両情報ｉｖではなかった場合をいう。
【００３７】
次に、上記ステップＳ４においてＲＦＩＤリーダ２４が車両情報ｉｖの読み取りに成功すると、設備側制御部２０は、水素充填ノズル１６を用いた水素の充填を許可して開閉弁１８を開く（ステップＳ５）。これにより、水素充填ノズル１６と水素充填口３６の接続部分を通して水素タンク３４に水素の充填が開始される（ステップＳ６）。
【００３８】
このように、水素充填設備１１の水素充填ノズル１６が接続された車両が、車両情報ｉｖを登録済みのＲＦＩＤタグ４６が搭載された燃料電池車両１２であれば、燃料電池車両１２の水素タンク３４に水素を充填することができる。その際、水素充填回数を含む履歴情報をＲＦＩＤタグ４６に記憶しておき、その履歴情報を更新する更新手段を水素充填設備１１に備えた構成を採用してもよい。この構成を採用する場合は、図２に二点鎖線で示すように、ＲＦＩＤリーダ２４に代えてＲＦＩＤリーダライタ２４０を水素充填設備１１に設けることにより、ＲＦＩＤリーダライタ２４０を上記更新手段として機能させることができる。具体的には、ＲＦＩＤリーダライタ２４０は、水素タンク３４への水素充填を終えた段階で、ＲＦＩＤタグ４６に記憶されている水素充填回数を１だけ増やすように更新する（ステップＳ７）。
【００３９】
これに対し、上記ステップＳ４においてＲＦＩＤリーダ２４が車両情報ｉｖの読み取りに失敗すると、設備側制御部２０は、水素充填ノズル１６を用いた水素の充填を許可せずに開閉弁１８を閉じたままにする（ステップＳ８）。次に、設備側制御部２０は、タッチパネル２２の画面にエラーメッセージを表示する（ステップＳ９）。タッチパネル２２の画面には、たとえば、「この車両は水素の充填が許可された車両ではありませんので水素充填ノズルを元の位置に戻して速やかに車両を移動してください。」などのエラーメッセージを表示するとよい。これにより、ＲＦＩＤタグ４６を搭載しない燃料電池車両（不図示）に対しては、水素の充填を禁止することができる。このため、燃料電池産業車両向けの水素充填ノズル１６が燃料電池自動車の水素充填口に接続可能な構造になっていても、水素充填設備１１において燃料電池自動車の水素タンクに誤って水素を充填するおそれがなくなる。
【００４０】
＜実施形態の効果＞
本発明の実施形態においては、車両情報ｉｖが登録されたＲＦＩＤタグ４６を燃料電池車両１２に搭載しておき、水素充填設備１１に設けられたＲＦＩＤリーダ２４が燃料電池車両１２のＲＦＩＤタグ４６から車両情報ｉｖを読み取った場合のみ水素充填口３６の接続時の水素充填ノズル１６を用いた水素の充填を許可する構成を採用している。これにより、燃料電池産業車両向けの水素充填設備１１においては、車両情報ｉｖが登録されたＲＦＩＤタグ４６を搭載しない燃料電池自動車等の車両への水素の充填が禁止される。このため、燃料電池産業車両向けの水素充填設備１１において、燃料電池自動車の水素タンクに対する水素の誤充填を防止することができる。また、本実施形態では、ＲＦＩＤリーダ２４とＲＦＩＤタグ４６による無線通信を利用するため、ケーブル等を用いた有線通信に比べて電気的接点の接続数を減らすことができる。また、本実施形態では、車両情報ｉｖが登録されたＲＦＩＤタグ４６は新車以外の車両にも後付けで搭載可能である。このため、すでに販売された燃料電池産業車両や、メーカーの異なる燃料電池産業車両などにもＲＦＩＤタグ４６を搭載し、水素の充填を行うことも可能である。
【００４１】
また、本発明の実施形態においては、フューエルリッド４４を閉じた状態でＲＦＩＤリーダ２４とＲＦＩＤタグ４６との間で電磁波が遮蔽される位置にＲＦＩＤタグ４６を配置している。このため、水素充填口３６から水素を充填する場合以外は、フューエルリッド４４を閉じておくことにより、ＲＦＩＤタグ４６に汚れなどが付かないよう、ＲＦＩＤタグ４６を保護することができる。また、水素充填口３６から水素を充填するためにオペレータがフューエルリッド４４を開けた場合は、ＲＦＩＤタグ４６とＲＦＩＤリーダ２４との間に無線通信を確立することができる。
【００４２】
また、本発明の実施形態においては、タッチパネル２２の画面中に水素充填開始ボタン２６を設け、水素充填開始ボタン２６が押されたときにＲＦＩＤリーダ２４がＲＦＩＤタグ４６の認識を行う構成になっている。これにより、ＲＦＩＤリーダ２４が無駄な読み取り動作を行うことがなく、水素充填の許否判定が必要な場合のみＲＦＩＤリーダ２４に読み取り動作を実行させることができる。
【００４３】
また、本発明の実施形態においては、水素充填回数を含む履歴情報をＲＦタグ４６に記憶しておき、設備側制御部２０が水素の充填を許可した場合に、その履歴情報を更新する構成を採用している。これにより、ＲＦタグ４６に記憶されている水素充填回数に基づいて、たとえば、水素タンク３４の劣化具合を確認するための参考情報とすることができる。
【００４４】
＜変形例等＞
本発明の技術的範囲は上述した実施形態に限定されるものではなく、発明の構成要件やその組み合わせによって得られる特定の効果を導き出せる範囲において、種々の変更や改良を加えた形態も含む。
【００４５】
たとえば、上記実施形態においては、水素充填口３６の下にＲＦＩＤタグ４６を設けたが、フューエルリッド４４の内面４４ａにＲＦＩＤタグ４６を取り付けることにより、フューエルリッド４４によって遮蔽してもよい。
【００４６】
また、上記実施形態においては、電磁シールド部材の一例としてフューエルリッド４４を挙げたが、これに限らず、フューエルリッド４４以外の開閉部材であって水素充填時に開けられる金属製の部材であればよい。ただし、電磁シールド部材をフューエルリッド４４によって構成すれば、水素充填口３６に水素充填ノズル１６を接続する前にフューエルリッド４４が開けられるため、フューエルリッド４４による電磁波の遮断を解除した状態で水素充填開始ボタン２６の操作を受け付けることができる。
【００４７】
また、上記実施形態においては、フューエルリッド４４のような金属製の板状部材によって電磁シールド部材を構成したが、これに限らず、たとえば、樹脂製の板の表面を金属層で被覆した構造を有する部材、あるいは樹脂製の板と金属製の板を貼り合わせた構造を有する部材で電磁波を遮断する板によって電磁シールド部材を構成してもよい。
【００４８】
また、上記実施形態においては、水素充填回数を含む履歴情報をＲＦＩＤタグ４６に記憶するとしたが、ＲＦＩＤタグ４６に記憶する履歴情報には水素充填回数の他に、たとえば、水素充填日時、水素充填量などの情報を含めてもよい。
【００４９】
また、ＲＦＩＤタグ４６に登録する車両情報ｉｖは、自車両が燃料電池産業車両であることを示す情報であれば、どのような情報であってもかまわない。たとえば、燃料電池車両１２ごとに固有の情報が割り当てられる場合は、該固有の情報を車両情報ｉｖに利用してもよい。燃料電池車両１２ごとに割り当てられる固有の情報としては、たとえば、車台番号を挙げることができる。車両情報ｉｖに車台番号を利用する場合は、水素充填設備１１で水素の充填を許可する車台番号のリストを予め設備側制御部２０に登録しておき、ＲＦＩＤリーダ２４がＲＦＩＤタグ４６から読み取った車台番号がリストに登録されている場合のみ水素の充填を許可するように構成すればよい。
【００５０】
また、上記実施形態においては、ＲＦＩＤタグ４６を搭載する燃料電池産業車両の一例としてフォークリフトを挙げたが、本発明はこれに限らず、たとえば牽引車など、他の燃料電池産業車両にＲＦＩＤタグ４６を搭載してもよい。
【符号の説明】
【００５１】
１０  水素充填システム、１１  水素充填設備、１２  燃料電池車両、１６  水素充填ノズル、２０  設備側制御部、２４  ＲＦＩＤリーダ、３２  燃料電池、３４  水素タンク、４４  フューエルリッド（電磁シールド部材）、４６  ＲＦＩＤタグ、５２  空間、２４０  ＲＦＩＤリーダライタ（更新手段）。
【図１】
2020097991.tif 000003
【図２】
2020097991.tif 000004
【図３】
2020097991.tif 000005
【図４】
2020097991.tif 000006